(57)【要約】  釈放形電磁引き外し装置（１）は、フレーム（１０）と、レバー（２０）と、第１ラッチ（３０）と、リセットボタンユニット（４０）と、第２ラッチ（５０）と、電磁ソレノイド（６０）とを備える。レバー（２０）は、遮断器の開閉機構に作用する方向に付勢され、フレーム（１０）に回転可能に支持される。リセットボタンユニット（４０）は、フレーム（１０）から突出する方向である第１方向に付勢される。第２ラッチ（５０）は、リセットボタンユニット（４０）がフレーム（１０）から突出した状態から第１方向と逆方向へ押された場合に、レバー（２０）を回転させレバー（２０）を第１ラッチ（３０）と係合させる。電磁ソレノイド（６０）は、レバー（２０）が第１ラッチ（３０）および第２ラッチ（５０）と係合された状態である係合状態においてプランジャ（６１）によって第１ラッチ（３０）と第２ラッチ（５０）とを回転させることで係合状態を解除する。
2020234972.tif 000002
【特許請求の範囲】
【請求項１】
遮断器に配置される釈放形電磁引き外し装置であって、
フレームと、
前記フレームに回転可能に支持され、前記遮断器の開閉機構に作用する方向に付勢されるレバーと、
前記フレームに回転可能に支持され、前記レバーと係合する方向に付勢される第１ラッチと、
前記フレームに移動可能に支持され、前記フレームから突出する方向である第１方向に付勢されるリセットボタンユニットと、
前記リセットボタンユニットに回転可能に支持された状態で前記レバーと係合する方向に付勢され、前記リセットボタンユニットが前記フレームから突出した状態から前記第１方向と逆方向である第２方向へ押された場合に、前記レバーを回転させ前記レバーと前記第１ラッチとを係合させる第２ラッチと、
前記レバーが前記第１ラッチおよび前記第２ラッチと係合された状態である係合状態においてプランジャの突出によって前記第１ラッチと前記第２ラッチとを前記付勢された方向とは逆方向に回転させることで前記係合状態を解除する電磁ソレノイドと、を備える
ことを特徴とする釈放形電磁引き外し装置。
【請求項２】
前記レバーは、
前記第１ラッチと係合する第１レバー係合部と、前記第２ラッチと係合する第２レバー係合部と、前記第２ラッチと係合する第３レバー係合部と、を備え、
前記第１ラッチは、
前記第１レバー係合部と係合する係合部を備え、
前記第２ラッチは、
前記第２レバー係合部および前記第３レバー係合部と係合する係合部を備え、
前記第１レバー係合部と前記第１ラッチの前記係合部との係合によって、前記開閉機構に作用する方向への前記レバーの回転が抑制され、
前記第２レバー係合部と前記第２ラッチの前記係合部との係合によって、前記第１方向への前記リセットボタンユニットの移動が抑制され、
前記リセットボタンユニットが前記フレームから突出した状態から前記第２方向へ押された場合に、前記第３レバー係合部と前記第２ラッチの前記係合部との係合によって前記レバーを回転させ前記レバーを前記第１ラッチと係合させる
ことを特徴とする請求項１に記載の釈放形電磁引き外し装置。
【請求項３】
前記レバーは、
前記第２レバー係合部が形成された第１側板と、前記第３レバー係合部が形成された第２側板と、前記第１側板と前記第２側板とを連結する連結板とを備える
ことを特徴とする請求項２に記載の釈放形電磁引き外し装置。
【発明の詳細な説明】
【技術分野】
【０００１】
本発明は、気中遮断器などの遮断器に用いられる釈放形電磁引き外し装置に関する。
【背景技術】
【０００２】
従来、気中遮断器などの遮断器に配置される引き外し装置として、異常な電流が検知された場合に動作する釈放形電磁引き外し装置が知られている。遮断器において異常な電流が検知された場合、釈放形電磁引き外し装置が初期状態から釈放状態になることにより、遮断器がオフ状態になる。【０００３】
釈放形電磁引き外し装置にはリセットボタンが設けられている。リセットボタンは、釈放形電磁引き外し装置が初期状態から釈放状態になる際に、釈放形電磁引き外し装置から突出する。リセットボタンが押されることによって、釈放形電磁引き外し装置のリセット動作が行われ、釈放形電磁引き外し装置が釈放状態から初期状態へ戻る。
【先行技術文献】
【特許文献】
【０００４】
【特許文献１】実開平２−３１０４４号公報
【発明の概要】
【発明が解決しようとする課題】
【０００５】
しかしながら、上記従来の技術では、リセットボタンが押され続けた場合、リセット動作が優先される。そのため、リセットボタンが押され続けている状態で異常な電流が検知された場合、釈放形電磁引き外し装置が釈放状態へ移行せず、遮断器がオフ状態にならない。【０００６】
本発明は、上記に鑑みてなされたものであって、リセットボタンが押され続けている状態においてリセット動作よりも釈放を優先し、遮断器をオフ状態とすることができる釈放形電磁引き外し装置を得ることを目的とする。
【課題を解決するための手段】
【０００７】
上述した課題を解決し、目的を達成するために、本発明の釈放形電磁引き外し装置は、遮断器に配置される釈放形電磁引き外し装置であって、フレームと、レバーと、第１ラッチと、リセットボタンユニットと、第２ラッチと、電磁ソレノイドとを備える。レバーは、フレームに回転可能に支持され、遮断器の開閉機構に作用する方向に付勢される。第１ラッチは、フレームに回転可能に支持され、レバーと係合する方向に付勢される。リセットボタンユニットは、フレームに移動可能に支持され、フレームから突出する方向である第１方向に付勢される。第２ラッチは、リセットボタンユニットに回転可能に支持された状態でレバーと係合する方向に付勢され、リセットボタンユニットがフレームから突出した状態から第１方向と逆方向である第２方向へ押された場合に、レバーを回転させレバーと第１ラッチとを係合させる。電磁ソレノイドは、レバーが第１ラッチおよび第２ラッチと係合された状態である係合状態においてプランジャの突出によって第１ラッチと第２ラッチとを付勢された方向とは逆方向に回転させることで係合状態を解除する。
【発明の効果】
【０００８】
本発明によれば、リセットボタンが押され続けている状態においてリセット動作よりも釈放を優先し、遮断器をオフ状態とすることができる、という効果を奏する。
【図面の簡単な説明】
【０００９】
【図１】本発明の実施の形態１にかかる遮断器の構成例を示す図
【図２】実施の形態１にかかる釈放形電磁引き外し装置を説明するための図
【図３】実施の形態１にかかる釈放形電磁引き外し装置のＹ軸正方向から見た場合の側面図
【図４】実施の形態１にかかる釈放形電磁引き外し装置のＹ軸負方向から見た場合の側面図
【図５】実施の形態１にかかる釈放形電磁引き外し装置におけるフレームの一つの側板を外した状態を示す側面図
【図６】実施の形態１にかかる釈放形電磁引き外し装置の初期状態をＹ軸正方向から見た場合の側面図
【図７】実施の形態１にかかる釈放形電磁引き外し装置におけるプランジャが動作した状態をＹ軸正方向から見た場合の側面図
【図８】実施の形態１にかかる釈放形電磁引き外し装置の動作が途中である状態をＹ軸正方向から見た場合の側面図
【図９】実施の形態１にかかる釈放形電磁引き外し装置の動作が完了した状態をＹ軸正方向から見た場合の側面図
【図１０】実施の形態１にかかる釈放形電磁引き外し装置の動作が完了した状態をＹ軸負方向から見た場合の側面図
【図１１】実施の形態１にかかる釈放形電磁引き外し装置のリセット途中の状態をＹ軸正方向から見た場合の側面図
【図１２】実施の形態１にかかる釈放形電磁引き外し装置のリセット途中の状態をＹ軸負方向から見た場合の側面図
【図１３】実施の形態１にかかる釈放形電磁引き外し装置のリセット完了の状態をＹ軸正方向から見た場合の側面図
【図１４】実施の形態１にかかる釈放形電磁引き外し装置のリセット完了の状態をＹ軸負方向から見た場合の側面図
【図１５】実施の形態１にかかる釈放形電磁引き外し装置のリセットボタンユニットが押され続けている状態で電磁ソレノイドが動作した状態をＹ軸正方向から見た場合の側面図
【図１６】実施の形態１にかかる釈放形電磁引き外し装置のリセットボタンユニットが押され続けている状態で動作が完了した状態をＹ軸正方向から見た場合の側面図
【発明を実施するための形態】
【００１０】
以下に、本発明の実施の形態にかかる釈放形電磁引き外し装置を図面に基づいて詳細に説明する。なお、この実施の形態によりこの発明が限定されるものではない。
【００１１】
実施の形態１．
図１は、本発明の実施の形態１にかかる遮断器の構成例を示す図である。図２は、実施の形態１にかかる釈放形電磁引き外し装置を説明するための図である。なお、図１および図２における左右方向をＸ軸方向、図１および図２における上下方向をＺ軸方向、Ｘ軸方向とＺ軸方向とに各々直交する方向をＹ軸方向と定義する。また、その他の図面などにおいても、図１および図２に示すＸＹＺ座標系に対応するＸＹＺ座標を示している。
【００１２】
図１に示すように、遮断器１００は、固定接点１１０と、可動接点１１１と、可動接点１１１を固定接点１１０へ接触させたり可動接点１１１を固定接点１１０から離したりする開閉機構１１２とを備える。開閉機構１１２が可動接点１１１を固定接点１１０に接触させることによって遮断器１００がオン状態になる。開閉機構１１２が可動接点１１１を固定接点１１０から離すことによって遮断器１００がオフ状態になる。遮断器１００は、例えば気中遮断器である。遮断器１００には、釈放形電磁引き外し装置１が配置可能である。
【００１３】
図２に示すように、釈放形電磁引き外し装置１は、フレーム１０と、フレーム１０に回転可能に支持され遮断器１００の開閉機構１１２に作用する方向に付勢されるレバー２０と、フレーム１０に回転可能に支持され、レバー２０と係合する方向に付勢される第１ラッチ３０とを備える。
【００１４】
また、釈放形電磁引き外し装置１は、フレーム１０に移動可能に支持され、Ｘ軸正方向に付勢されるリセットボタンユニット４０と、リセットボタンユニット４０に回転可能に支持された状態でレバー２０と係合する方向に付勢される第２ラッチ５０とを備える。Ｘ軸正方向は、リセットボタンユニット４０がフレーム１０から突出する方向である第１方向の一例である。
【００１５】
リセットボタンユニット４０の先端部にはリセットボタン４１が設けられる。第２ラッチ５０は、リセットボタンユニット４０がフレーム１０から突出した状態からＸ軸負方向へ押された場合に、レバー２０を回転させレバー２０と第１ラッチ３０とを係合させる。Ｘ軸負方向は、第２方向の一例であり、フレーム１０から突出する方向である第１方向と逆方向である。
【００１６】
また、釈放形電磁引き外し装置１は、プランジャ６１を有し且つ通電されることによってプランジャ６１を突出させる電磁ソレノイド６０を備える。電磁ソレノイド６０は、第１ラッチ３０と第２ラッチ５０とをプランジャ６１の突出によって回転させて第１ラッチ３０および第２ラッチ５０とレバー２０との係合を解除する。
【００１７】
第１ラッチ３０とレバー２０との係合が解除されることで遮断器１００の開閉機構１１２に作用する方向へレバー２０が回転し、遮断器１００がオフ状態になる。また、リセットボタンユニット４０は、Ｘ軸正方向に付勢されているため、第２ラッチ５０とレバー２０との係合が解除されることで、Ｘ軸正方向へ移動し釈放形電磁引き外し装置１から突出する。
【００１８】
その後、リセットボタンユニット４０がＸ軸負方向へ押されると、リセットボタンユニット４０に支持された第２ラッチ５０がレバー２０を回転させレバー２０を第１ラッチ３０と係合させる。そして、リセットボタンユニット４０がＸ軸負方向へ押され続けている状態において、第１ラッチ３０および第２ラッチ５０は、レバー２０との係合を解除する方向へプランジャ６１の突出によって回転可能な位置にある。
【００１９】
そのため、リセットボタンユニット４０がＸ軸負方向へ押され続けている状態において、プランジャ６１の突出で第１ラッチ３０および第２ラッチ５０とレバー２０との係合が解除されてレバー２０が回転し、遮断器１００がオフ状態になる。このように、釈放形電磁引き外し装置１では、リセットボタン４１が押され続けている状態において電磁ソレノイド６０による釈放を優先し、遮断器１００をオフ状態とすることができる。
【００２０】
以下、釈放形電磁引き外し装置１の構成について具体的に説明する。図３は、実施の形態１にかかる釈放形電磁引き外し装置のＹ軸正方向から見た場合の側面図である。図４は、実施の形態１にかかる釈放形電磁引き外し装置のＹ軸負方向から見た場合の側面図である。図５は、実施の形態１にかかる釈放形電磁引き外し装置におけるフレームの一つの側板を外した状態を示す側面図である。
【００２１】
図３および図４に示すように、フレーム１０には、Ｙ軸方向において互いに対向する２つの側板１１，１２と、２つの側板１１，１２を連結する連結ピン１３，１４とを備える。図３に示すように、側板１１には、リセットボタンユニット４０のＸ軸方向への移動をガイドするガイド溝１１ａが設けられる。また、図４に示すように、側板１２には、リセットボタンユニット４０のＸ軸方向への移動をガイドするガイド溝１２ａが設けられる。
【００２２】
さらに、側板１１，１２には、Ｙ軸方向に各々延伸するシャフト１５，１６が取り付けられている。レバー２０は、シャフト１５の軸心を中心として回転可能にシャフト１５を介して側板１１，１２に支持される。第１ラッチ３０は、シャフト１６の軸心を中心として回転可能にシャフト１６を介して側板１１，１２に支持される。
【００２３】
釈放形電磁引き外し装置１は、図４に示すように、フレーム１０とリセットボタンユニット４０の基端部とに架け渡された引張ばね８１を備え、引張ばね８１によってリセットボタンユニット４０がＸ軸正方向に付勢される。
【００２４】
また、釈放形電磁引き外し装置１は、図５に示すように、一端がフレーム１０に取り付けられ、他端がレバー２０に取り付けられる引張ばね８２と、一端がフレーム１０に取り付けられ、他端が第１ラッチ３０に取り付けられる引張ばね８３とを備える。また、釈放形電磁引き外し装置１は、一端がリセットボタンユニット４０に取り付けられ、他端が第２ラッチ５０に取り付けられる引張ばね８４を備える。
【００２５】
引張ばね８２によってレバー２０が反時計回りの方向に付勢される。引張ばね８３によって第１ラッチ３０が反時計回りの方向に付勢される。引張ばね８４によって第２ラッチ５０が反時計回りの方向に付勢される。ここで、反時計回りとは、図５における反時計回りであり、Ｙ軸正方向から釈放形電磁引き外し装置１を見た場合における反時計回りである。以下においては、反時計回りは、Ｙ軸正方向から釈放形電磁引き外し装置１を見た場合における方向であり、時計回りは、Ｙ軸正方向から釈放形電磁引き外し装置１を見た場合における方向であるものとして説明する。
【００２６】
リセットボタンユニット４０は、リセットボタン４１と、リセットボタン４１が先端部に取り付けられ、Ｘ軸方向に延伸する延伸部４２とを備える。延伸部４２には、図３に示すように、Ｙ軸正方向に突出し、ガイド溝１１ａに挿入される突出部４３が形成される。また、延伸部４２には、図４に示すように、Ｙ軸負方向に突出し、ガイド溝１２ａに挿入される突出部４４が形成される。延伸部４２の基端部には、引張ばね８１の他端が取り付けられる。リセットボタンユニット４０は、遮断器１００がオフ状態になる際にＸ軸正方向に突出し、手動でＸ軸負方向に押し込まれることで釈放形電磁引き外し装置１がリセットされる。
【００２７】
リセットボタンユニット４０の延伸部４２には、図５に示すように、Ｙ軸方向に延伸するシャフト４５が取り付けられている。第２ラッチ５０は、シャフト４５の軸心を中心として回転可能にシャフト４５を介してリセットボタンユニット４０に支持される。
【００２８】
次に、レバー２０、第１ラッチ３０、リセットボタンユニット４０、および第２ラッチ５０の構成をさらに具体的に説明する。図６は、実施の形態１にかかる釈放形電磁引き外し装置の初期状態をＹ軸正方向から見た場合の側面図であり、図６では、説明の便宜上、側板１１および引張ばね８１，８２，８３，８４を図示していない。
【００２９】
図６に示すように、レバー２０は、互いに対向する第１側板２１および第２側板２２と、Ｘ軸正方向における第１側板２１と第２側板２２との端部同士を連結する連結板２３とを有する。第１側板２１および第２側板２２は、シャフト１５の軸心を中心として回転可能にシャフト１５を介してフレーム１０に支持される。
【００３０】
第１側板２１の一端には、第１ラッチ３０と係合する第１レバー係合部２１ａが形成される。また、第２側板２２の一端には、第２ラッチ５０と係合する第２レバー係合部２２ａおよび第３レバー係合部２２ｂが形成される。
【００３１】
第１ラッチ３０には、一端部にレバー２０の第１レバー係合部２１ａと係合する引き外し係合部３１が形成され、他端部にプランジャ６１の先端に固定された押し板６２に対向する突出部３２が形成される。
【００３２】
第２ラッチ５０は、一端部にレバー２０の第２レバー係合部２２ａおよび第３レバー係合部２２ｂと係合するリセット係合部５１が形成され、他端部にプランジャ６１の先端に固定された押し板６２に対向する突出部５２が形成される。
【００３３】
また、釈放形電磁引き外し装置１は、Ｙ軸方向に延伸するシャフト１８を介して回転可能にフレーム１０に支持される伝動機構７０を有しており、レバー２０の回転力を押し板６２に伝達する機能を有する。
【００３４】
次に、釈放形電磁引き外し装置１の動作を説明する。まず、釈放形電磁引き外し装置１の引き外し動作について説明する。図７は、実施の形態１にかかる釈放形電磁引き外し装置におけるプランジャが動作した状態をＹ軸正方向から見た場合の側面図である。図８は、実施の形態１にかかる釈放形電磁引き外し装置の動作が途中である状態をＹ軸正方向から見た場合の側面図である。図９は、実施の形態１にかかる釈放形電磁引き外し装置の動作が完了した状態をＹ軸正方向から見た場合の側面図である。図１０は、実施の形態１にかかる釈放形電磁引き外し装置の動作が完了した状態をＹ軸負方向から見た場合の側面図である。なお、図７〜図１０では、説明の便宜上、側板１１および引張ばね８１，８２，８３，８４を図示していない。
【００３５】
釈放形電磁引き外し装置１が初期状態である場合、図６に示すように、第１ラッチ３０の引き外し係合部３１がレバー２０の第１レバー係合部２１ａと係合しているため、レバー２０の反時計回りの方向への回転が抑制される。また、第２ラッチ５０のリセット係合部５１は、レバー２０の第２レバー係合部２２ａと係合しているため、リセットボタンユニット４０のＸ軸正方向への移動が抑制される。
【００３６】
遮断器１００にて異常な電流が検知されると、電磁ソレノイド６０が通電され不図示のコイルに励磁電流が供給されてコイルから磁束が発生する。これにより、図７に示すように、プランジャ６１が突出する。
【００３７】
プランジャ６１が突出すると、プランジャ６１の先端部に固定された押し板６２によって第１ラッチ３０の突出部３２が押されるため、図７に示すように、第１ラッチ３０がシャフト１６を中心に時計回りの方向へ回転する。また、押し板６２によって第２ラッチ５０の突出部５２が押されるため、図７に示すように、第２ラッチ５０がシャフト４５を中心に時計回りの方向へ回転する。
【００３８】
そのため、第１ラッチ３０の引き外し係合部３１とレバー２０の第１レバー係合部２１ａとの係合が解除され、第２ラッチ５０のリセット係合部５１とレバー２０の第２レバー係合部２２ａとの係合が解除される。第１ラッチ３０の引き外し係合部３１とレバー２０の第１レバー係合部２１ａとの係合が解除されることで、図８および図９に示すようにレバー２０がシャフト１５を中心に反時計回りの方向へ回転する。そのため、レバー２０が開閉機構１１２のラッチに作用し、開閉機構１１２によって可動接点１１１が固定接点１１０から離れる。
【００３９】
また、レバー２０の突出部２４は、レバー２０の反時計回りの方向への回転によって伝動機構７０の一端部７１に接触し、伝動機構７０の一端部７１をシャフト１８を軸心として時計回りの方向へ回転させる。これにより、図９に示すように、伝動機構７０の他端部７２が時計回りの方向へ回転し、伝動機構７０の他端部７２が押し板６２を押す。そのため、プランジャ６１が電磁ソレノイド６０内に戻され、電磁ソレノイド６０が初期状態に戻る。
【００４０】
また、リセット係合部５１と第２レバー係合部２２ａとの係合が解除されることから、図９および図１０に示すように、リセットボタンユニット４０は、図４に示す引張ばね８１によってＸ軸正方向へ移動して釈放形電磁引き外し装置１から突出する。このとき、リセットボタンユニット４０の突出部４３，４４がガイド溝１１ａ，１２ａの端部に接触することで、リセットボタンユニット４０のＸ軸正方向への移動が規制される。
【００４１】
次に、釈放形電磁引き外し装置１のリセットについて説明する。図１１は、実施の形態１にかかる釈放形電磁引き外し装置のリセット途中の状態をＹ軸正方向から見た場合の側面図である。図１２は、実施の形態１にかかる釈放形電磁引き外し装置のリセット途中の状態をＹ軸負方向から見た場合の側面図である。図１３は、実施の形態１にかかる釈放形電磁引き外し装置のリセット完了の状態をＹ軸正方向から見た場合の側面図である。図１４は、実施の形態１にかかる釈放形電磁引き外し装置のリセット完了の状態をＹ軸負方向から見た場合の側面図である。なお、図１１〜図１４では、説明の便宜上、側板１１および引張ばね８１，８２，８３，８４を図示していない。
【００４２】
釈放形電磁引き外し装置１は、図９および図１０に示す状態から、手動でリセットボタンユニット４０がＸ軸負方向に押し込まれることでリセットされる。リセットボタンユニット４０がＸ軸負方向に移動すると、図１１および図１２に示すように、リセットボタンユニット４０に回転可能に支持された第２ラッチ５０のリセット係合部５１がレバー２０の第３レバー係合部２２ｂと係合する。
【００４３】
第２ラッチ５０のリセット係合部５１は、リセットボタンユニット４０のＸ軸負方向への移動に伴ってＸ軸負方向へ移動するため、リセット係合部５１のＸ軸負方向への移動に伴ってレバー２０が時計回りの方向へ回転する。そして、レバー２０は、図１３および図１４に示すように、レバー２０の第１レバー係合部２１ａが第１ラッチ３０の引き外し係合部３１と係合する初期位置まで移動し、釈放形電磁引き外し装置１がリセット状態になる。かかるリセット状態において、レバー２０の第３レバー係合部２２ｂと第２ラッチ５０のリセット係合部５１との係合が継続している状態である。
【００４４】
リセットボタンユニット４０が押し込まれている状態が解除されると、リセットボタンユニット４０および第２ラッチ５０は、図４に示す引張ばね８１のばね力によってＸ軸正方向へ戻ろうとするが、図６に示すように、第１ラッチ３０との係合によって回転が規制されているレバー２０に第２ラッチ５０が係合する。そのため、リセットボタンユニット４０および第２ラッチ５０は、Ｘ軸正方向への移動が規制され、初期位置に維持される。
【００４５】
次に、釈放形電磁引き外し装置１がリセットされた後もリセットボタンユニット４０が押され続けている状態であり、かかる状態で電磁ソレノイド６０が通電された場合の釈放形電磁引き外し装置１の動作について説明する。図１５は、実施の形態１にかかる釈放形電磁引き外し装置のリセットボタンユニットが押され続けている状態で電磁ソレノイドが動作した状態をＹ軸正方向から見た場合の側面図である。図１６は、実施の形態１にかかる釈放形電磁引き外し装置のリセットボタンユニットが押され続けている状態で動作が完了した状態をＹ軸正方向から見た場合の側面図である。なお、図１５および図１６では、説明の便宜上、側板１１および引張ばね８１，８２，８３，８４を図示していない。
【００４６】
遮断器１００において異常な電流が検知されると、電磁ソレノイド６０が通電される。釈放形電磁引き外し装置１は、図１５に示すように、リセットボタンユニット４０が押され続けている状態から電磁ソレノイド６０が通電されると電磁ソレノイド６０のプランジャ６１が突出する。
【００４７】
プランジャ６１が突出すると、プランジャ６１の先端部に固定された押し板６２によって第１ラッチ３０の突出部３２が押されるため、第１ラッチ３０がシャフト１６を中心に時計回りの方向へ回転する。また、押し板６２によって第２ラッチ５０の突出部５２が押されるため、第２ラッチ５０がシャフト４５を中心に時計回りの方向へ回転する。
【００４８】
そのため、第１ラッチ３０の引き外し係合部３１とレバー２０の第１レバー係合部２１ａとの係合が解除され、第２ラッチ５０のリセット係合部５１とレバー２０の第３レバー係合部２２ｂとの係合が解除される。これにより、図１６に示すようにレバー２０がシャフト１５を中心に反時計回りの方向へ回転するため、レバー２０が開閉機構１１２のラッチに作用し、遮断器１００がオフ状態になる。
【００４９】
このように、釈放形電磁引き外し装置１は、リセットボタンユニット４０が押され続けている状態でも、釈放を優先し、遮断器１００をオフ状態にすることができる。なお、図１６に示す状態では、レバー２０と第２ラッチ５０とは係合していないため、リセットボタンユニット４０を押す状態をやめると、図４に示す引張ばね８１のばね力によって、リセットボタンユニット４０がＸ軸正方向へ移動する。これにより、釈放形電磁引き外し装置１は、図９および図１０に示す状態になる。
【００５０】
以上のように、実施の形態１にかかる釈放形電磁引き外し装置１は、遮断器１００に配置される釈放形電磁引き外し装置である。かかる釈放形電磁引き外し装置１は、フレーム１０と、レバー２０と、第１ラッチ３０と、リセットボタンユニット４０と、第２ラッチ５０と、電磁ソレノイド６０とを備える。レバー２０は、フレーム１０に回転可能に支持され、遮断器１００の開閉機構１１２に作用する方向に付勢される。第１ラッチ３０は、フレーム１０に回転可能に支持され、レバー２０と係合する方向に付勢される。リセットボタンユニット４０は、フレーム１０に移動可能に支持され、Ｘ軸正方向に付勢される。第２ラッチ５０は、リセットボタンユニット４０に回転可能に支持され、レバー２０と係合する方向に付勢される。また、第２ラッチ５０は、リセットボタンユニット４０がフレーム１０から突出した状態からＸ軸負方向へ押された場合に、レバー２０を回転させレバー２０と第１ラッチ３０とを係合させる。電磁ソレノイド６０は、レバー２０が第１ラッチ３０および第２ラッチ５０と係合された状態である係合状態においてプランジャ６１の突出によって第１ラッチ３０と第２ラッチ５０とを回転させることで係合状態を解除する。これにより、釈放形電磁引き外し装置１は、リセットボタン４１が押され続けている状態においてリセット動作よりも釈放を優先し、遮断器１００をオフ状態とすることができる。
【００５１】
また、レバー２０は、第１ラッチ３０と係合する第１レバー係合部２１ａと、第２ラッチ５０と係合する第２レバー係合部２２ａと、第２ラッチ５０と係合する第３レバー係合部２２ｂとを備える。第１ラッチ３０は、第１レバー係合部２１ａと係合する引き外し係合部３１を備える。第２ラッチ５０は、第２レバー係合部２２ａおよび第３レバー係合部２２ｂと係合するリセット係合部５１を備える。第１レバー係合部２１ａと第１ラッチ３０の引き外し係合部３１との係合によって、開閉機構１１２に作用する方向への第１レバー係合部２１ａの回転が抑制される。第２レバー係合部２２ａと第２ラッチ５０のリセット係合部５１との係合によって、Ｘ軸正方向へのリセットボタンユニット４０の移動が抑制される。リセットボタンユニット４０がフレーム１０から突出した状態からＸ軸負方向へ押された場合に、第３レバー係合部２２ｂと第２ラッチ５０のリセット係合部５１との係合によって、レバー２０を回転させレバー２０を第１ラッチ３０と係合させる。このように、釈放形電磁引き外し装置１は、レバー２０に第２ラッチ５０と係合する第２レバー係合部２２ａおよび第３レバー係合部２２ｂを有することで、比較的容易にリセット動作よりも釈放を優先させることができる。
【００５２】
レバー２０は、第２レバー係合部２２ａが形成された第１側板２１と、第３レバー係合部２２ｂが形成された第２側板２２と、第１側板２１と第２側板２２とを連結する連結板２３とを備える。これにより、レバー２０、第１ラッチ３０、および第２ラッチ５０の配置を容易に行うことができる。
【００５３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】
１  釈放形電磁引き外し装置、１０  フレーム、１１，１２  側板、１１ａ，１２ａ  ガイド溝、１３，１４  連結ピン、１５，１６，１８  シャフト、２０  レバー、２１  第１側板、２１ａ  第１レバー係合部、２２  第２側板、２２ａ  第２レバー係合部、２２ｂ  第３レバー係合部、２３  連結板、３０  第１ラッチ、３１  引き外し係合部、３２，４３，４４，５２  突出部、４０  リセットボタンユニット、４１  リセットボタン、４２  延伸部、４５  シャフト、５０  第２ラッチ、５１  リセット係合部、６０  電磁ソレノイド、６１  プランジャ、６２  押し板、７０  伝動機構、７１  一端部、７２  他端部、８１，８２，８３，８４  引張ばね、１００  遮断器、１１０  固定接点、１１１  可動接点、１１２  開閉機構。
【図１】
2020234972.tif 000003
【図２】
2020234972.tif 000004
【図３】
2020234972.tif 000005
【図４】
2020234972.tif 000006
【図５】
2020234972.tif 000007
【図６】
2020234972.tif 000008
【図７】
2020234972.tif 000009
【図８】
2020234972.tif 000010
【図９】
2020234972.tif 000011
【図１０】
2020234972.tif 000012
【図１１】
2020234972.tif 000013
【図１２】
2020234972.tif 000014
【図１３】
2020234972.tif 000015
【図１４】
2020234972.tif 000016
【図１５】
2020234972.tif 000017
【図１６】
2020234972.tif 000018
【国際調査報告】
2020234972.tif 000019
2020234972.tif 000020
2020234972.tif 000021
2020234972.tif 000022